【手続補正書】
【提出日】平成29年3月21日(2017.3.21)
【手続補正１】
【補正対象書類名】特許請求の範囲
【補正対象項目名】全文
【補正方法】変更
【補正の内容】
【特許請求の範囲】
【請求項１】
投影デバイスによって、第1のフレームレートでキャプチャフレームを投影するステップと、
前記キャプチャフレームが投影されている時に、画像キャプチャデバイスによってオブジェクトの画像をキャプチャするステップと、
前記キャプチャされた画像に少なくとも部分的に基づいて、コンピュータビジョン機能を実行するステップと、
前記投影デバイスによって、第2のフレームレートでコンテンツフレームを投影するステップと
を備え、
前記コンテンツフレームは、前記オブジェクトに関する情報を含み、
前記第1のフレームレートは、前記第2のフレームレートより低い、方法。
【請求項２】
前記キャプチャフレームを投影するステップが、ソリッドカラーのフレームと、画像を有していないフレームとのうちの1つを投影するステップを備える、請求項1に記載の方法。
【請求項３】
前記第1のフレームレートで前記キャプチャフレームを投影するステップが、前記投影されたキャプチャフレームが観察者に気付かれないように前記第1のフレームレートで前記キャプチャフレームを投影するステップを備える、請求項1に記載の方法。
【請求項４】
前記コンピュータビジョン機能を実行するステップが、
前記キャプチャされた画像に基づいてオブジェクト認識を実行するステップ、または、
前記キャプチャされた画像に基づいて追跡を実行するステップ
を備える、請求項1に記載の方法。
【請求項５】
前記実行されたオブジェクト認識または追跡に基づいて、投影のための前記コンテンツフレームを生成するステップをさらに備える、請求項4に記載の方法。
【請求項６】
前記コンテンツフレームを投影するステップが、前記オブジェクト認識または追跡が実行される前記オブジェクトを遮蔽するコンテンツフレームを投影するステップを備える、請求項4に記載の方法。
【請求項７】
前記キャプチャされた画像上で前記追跡を実行するステップが、前記キャプチャされた画像内の前記オブジェクトの位置、向き、又は深度のうちの少なくとも1つを決定するステップを備える、請求項4に記載の方法。
【請求項８】
前記オブジェクトの前記画像をキャプチャするステップが、
前記画像キャプチャデバイスによって、前記キャプチャフレームが投影されていることを示す信号を受信するステップと、
前記信号を受信するステップに応答して前記画像をキャプチャするステップと
を備える、請求項1に記載の方法。
【請求項９】
前記第1のフレームレートの少なくとも2倍のフレームレートで画像がキャプチャされ、前記方法が、前記キャプチャフレームを含む少なくとも1つの画像をキャプチャして、前記キャプチャフレームを含まない少なくとも1つの画像をキャプチャするために、前記投影デバイスと前記画像キャプチャデバイスとを同期させるステップを備える、請求項1に記載の方法。
【請求項１０】
第1のフレームレートでキャプチャフレームを、および第2のフレームレートでコンテンツフレームを投影するように構成された投影デバイスであって、前記第1のフレームレートは、前記第2のフレームレートより低い、投影デバイスと、
前記投影デバイスが前記キャプチャフレームを投影する時にオブジェクトの画像をキャプチャするように構成された画像キャプチャデバイスと、
前記投影デバイスと前記画像キャプチャデバイスとに結合された1つまたは複数のプロセッサであって、前記キャプチャされた画像を処理して、前記キャプチャされた画像に少なくとも部分的に基づいて、前記コンテンツフレームを生成するか、投影のための前記コンテンツフレームの位置または向きを決定するように構成された前記1つまたは複数のプロセッサであって、前記コンテンツフレームは、前記オブジェクトに関する情報を含む、1つまたは複数のプロセッサと、
前記1つまたは複数のプロセッサに結合されたメモリと
を備える、システム。
【請求項１１】
前記投影されたキャプチャフレームが、ソリッドカラーのキャプチャフレームと、画像を有していないキャプチャフレームとのうちの1つを備える、請求項10に記載のシステム。
【請求項１２】
前記画像キャプチャデバイスがカメラを備える、請求項10に記載のシステム。
【請求項１３】
前記カメラが、可視光カメラ、深度センシングカメラ、赤外線(IR)光または紫外線(UV)光を検出することが可能なカメラ、ステレオカメラ、又は飛行時間(ToF)カメラのうちの少なくとも1つを備える、請求項12に記載のシステム。
【請求項１４】
前記投影デバイスが、デジタルライトプロセッシング(DLP)プロジェクタ、レーザービームステアリング(LBS)プロジェクタ、又はリキッドクリスタルオンシリコン(LCoS)プロジェクタのうちの少なくとも1つを備える、請求項10に記載のシステム。
【請求項１５】
前記1つまたは複数のプロセッサが、前記キャプチャされた画像内の前記オブジェクトに基づいて、コンテンツと、前記投影されたコンテンツフレームの位置とを制御するように構成される、請求項10に記載のシステム。
【請求項１６】
前記1つまたは複数のプロセッサが、前記キャプチャされた画像上でオブジェクト認識を実行するように構成される、請求項10に記載のシステム。
【請求項１７】
前記1つまたは複数のプロセッサが、前記キャプチャされた画像に基づいて追跡を実行するように構成される、請求項10に記載のシステム。
【請求項１８】
前記投影されたコンテンツフレームが、前記キャプチャされた画像内の前記オブジェクト上またはその周囲に拡張現実を作成する、請求項10に記載のシステム。
【請求項１９】
第1のフレームレートでキャプチャフレームを投影するための手段と、
前記キャプチャフレームが投影されている時にオブジェクトの画像をキャプチャするための手段と、
前記キャプチャされた画像に少なくとも部分的に基づいて、コンピュータビジョン機能を実行するための手段と、
第2のフレームレートでコンテンツフレームを投影するための手段と
を備え、
前記コンテンツフレームは、前記オブジェクトに関する情報を含み、
前記第1のフレームレートは、前記第2のフレームレートより低い、システム。
【請求項２０】
前記キャプチャフレームを投影するための前記手段が、ソリッドカラーのフレーム、又は画像を有していないフレームのうちの少なくとも1つを投影するように構成される、請求項19に記載のシステム。
【請求項２１】
前記キャプチャフレームを投影するための前記手段が、前記投影されたキャプチャフレームが観察者に気付かれないように前記第1のフレームレートで前記キャプチャフレームを投影するように構成される、請求項19に記載のシステム。
【請求項２２】
前記コンピュータビジョン機能を実行するための手段が、
前記キャプチャされた画像に基づいてオブジェクト認識を実行するための手段、又は、
前記キャプチャされた画像に基づいて追跡を実行するための手段
のうちの少なくとも1つを備える、請求項19に記載のシステム。
【請求項２３】
前記実行されたオブジェクト認識または追跡に基づいて、投影のための前記コンテンツフレームを生成するための手段
をさらに備える、請求項22に記載のシステム。
【請求項２４】
投影のための生成されたコンテンツフレームが、投影される時に、前記オブジェクト認識または追跡が実行される前記オブジェクトを遮蔽する、請求項23に記載のシステム。
【請求項２５】
追跡を実行するための前記手段が、前記キャプチャされた画像内の前記オブジェクトの位置、向き、又は深度のうちの少なくとも1つを決定するように構成される、請求項22に記載のシステム。
【請求項２６】
前記画像をキャプチャするための前記手段が、
前記キャプチャフレームが投影されていることを示す信号を受信するための手段を備える、請求項19に記載のシステム。
【請求項２７】
前記システムの動作中にキャプチャするための前記手段によって、前記キャプチャフレームを含む少なくとも1つの画像がキャプチャされ、前記キャプチャフレームを含まない少なくとも1つの画像がキャプチャされるように、前記第1のフレームレートの少なくとも2倍の第3のフレームレートで画像をキャプチャするために、前記画像をキャプチャするための前記手段と、投影するための前記手段とが同期される、請求項19に記載のシステム。
【請求項２８】
1つまたは複数のプロセッサによって実行されると、前記1つまたは複数のプロセッサに、
第1のフレームレートでキャプチャフレームを投影するステップと、
前記キャプチャフレームが投影されている時にオブジェクトの画像をキャプチャするステップと、
前記キャプチャされた画像に少なくとも部分的に基づいて、コンピュータビジョン機能を実行するステップと、
第2のフレームレートでコンテンツフレームを投影するステップと
を備える方法を実行させる命令を含み、
前記コンテンツフレームは、前記オブジェクトに関する情報を含み、
前記第1のフレームレートは、前記第2のフレームレートより低い、非一時的コンピュータ可読記録媒体。
【請求項２９】
前記第1のフレームレートは、前記第2のフレームレートの半分を超えない、請求項1に記載の方法。
【請求項３０】
前記キャプチャフレームは、コンテンツフレームが投影されていない時に、投影される、請求項1に記載の方法。